(57)【特許請求の範囲】
【請求項１】
複数の端局装置を無線回線を介して接続し、加入者は前記端局装置を介して通信を行う無線通信システムであって、対向する端局装置間にそれぞれ固有のルート識別符号を設定し、前記ルート識別符号の一致判定に基づき前記無線回線における干渉の有無を判別する無線通信システムにおいて、
前記対向する端局装置の一方である送信側端局装置は、
前記対向する端局装置の他方である受信側端局装置に送信する無線フレームに前記ルート識別符号を付加するルート識別符号付加手段
を具備し、
前記受信側端局装置は、
前記送信側端局装置から受信した無線フレームから前記ルート識別符号を認識して干渉の有無を判別する判別手段
を具備する
ことを特徴とする無線通信システム。
【請求項２】
前記複数の端局装置は、
リング状に接続され、前記対向する端局装置間における干渉を判別した場合は、該対向する端局装置間での同期を解除し、ループバック路を形成する
ことを特徴とする請求項１記載の無線通信システム。
【請求項３】
前記複数の端局装置に共通の共通ルート識別符号を設定し、
前記端局装置は、
前記ルート識別符号若しくは共通ルート識別符号を受信した場合に、前記加入者に対して受信信号を送出する
ことを特徴とする請求項１記載の無線通信システム。
【請求項４】
前記端局装置は、
前記ルート識別符号若しくは共通ルート識別符号以外を受信した場合は、前記加入者に対して前記受信信号に代えて警報信号を送信する
ことを特徴とする請求項３記載の無線通信システム。
【請求項５】
前記共通ルート識別符号は、
システム固有の符号から構成される
ことを特徴とする請求項３記載の無線通信システム。
【発明の詳細な説明】
【０００１】
【発明の属する技術分野】
この発明は、複数の端局装置を無線回線を介して接続して構成した無線通信システムに関し、詳しくは、無線回線における干渉の判別を容易にするとともに、端局装置の増設等に容易に対応することができるようにした無線通信システムに関する。
【０００２】
【従来の技術】
最近、複数の端局装置（ノード）をリング状に接続して、このノードを介して加入者が通信を行うことで新たな通信網を構築する、いわゆる、加入者無線システムが提案されている。
【０００３】
図１０は、従来の加入者無線システムを示す図である。
【０００４】
図１０において、この加入者無線システムは、リングノード（ＲＮ）１１−１、１２−１、１３−１、１４−１とベースノード（ＢＮ）１５−１をリング状に無線回線接続して構築した第１のリングシステム１０−１と、リングノード（ＲＮ）１１−２、１２−２、１３−２、１４−２とベースノード（ＢＮ）１５−２をリング状に無線回線接続して構築した第２のリングシステム１０−２とを具備して構成されており、第１のリングシステム１０−１のベースノード１５−１および第２のリングシステム１０−１のベースノード１５−２は、センタノード（ＣＮ）１６に接続されている。
【０００５】
また、各リングノード１１−１、１２−１、１３−１、１４−１およびリングノード１１−２、１２−２、１３−２、１４−２には図示しない加入者端末がそれぞれ接続されており、この加入者端末は、リングノード１１−１、１２−１、１３−１、１４−１およびリングノード１１−２、１２−２、１３−２、１４−２を介して通信を行うように構成されている。
【０００６】
このような加入者無線システムにおいては、各ノード（局）間を接続する無縁回線における干渉の問題が重要であり、この干渉は、各リングシステム１０−１、１０−２内においてそれぞれ発生するばかりでなく、隣接するリングシステム１０−１、１０−２相互間においても発生する。図１０において、経路１７は、隣接するリングシステム１０−１、１０−２相互間において発生する干渉経路を示したものである。
【０００７】
すなわち、第１のリングシステム１０−１のリングノード１１−１が第２のリングシステム１０−２のリングノード１３−２と対向する位置に設置されると、第１のリングシステム１０−１のリングノード１１−１は、第２のリングシステム１０−２のリングノード１３−２から送信される電波による干渉を受けることになる。
【０００８】
図１１は、従来の加入者無線システムにおける干渉の状態を示す図である。
【０００９】
図１１においては、加入者無線システムを構成する局Ａと局Ｂが対向しており局Ａから局Ｂへは周波数ｆ１の電波を用いて通信が行われ、局Ｂから局Ａへは周波数ｆ２の電波を用いて通信が行われる。
【００１０】
また、局Ｃと局Ｄが対向しており局Ｃから局Ｄへは周波数ｆ１の電波を用いて通信が行われ、局Ｄから局Ｃへは周波数ｆ２の電波を用いて通信が行われる。
【００１１】
この状態において、局Ａが局Ｃからの周波数ｆ２の電波を受信すると、この局Ｃからの周波数ｆ２の電波は、局Ｂから局Ａへの通信に用いられている周波数ｆ２の電波の干渉波となる。同様に、局Ｂが局Ｄからの周波数ｆ１の電波を受信すると、この局Ｄからの周波数ｆ１の電波は、局Ａから局Ｂへの通信に用いられている周波数ｆ１の電波の干渉波となる。
【００１２】
また、局Ｃが局Ａからの周波数ｆ１の電波を受信すると、この局Ａからの周波数ｆ１の電波は、局Ｄから局Ｃへの通信に用いられている周波数ｆ１の電波の干渉波となる。同様に、局Ｄが局Ｂからの周波数ｆ２の電波を受信すると、この局Ｂからの周波数ｆ２の電波は、局Ｃから局Ｄへの通信に用いられている周波数ｆ２の電波の干渉波となる。
【００１３】
そこで、このような従来の加入者無線システムにおいては、各ノードにおいて干渉による影響が起こらないように、運用時の回線設計にて干渉経路等を考慮して計画的にノードの設置、すなわち設局する方法がとられてきた。
【００１４】
また、ノードの設置後においては、正規受信波の受信電力値を各ノードにおいて検出し、この検出した受信電力値が予め設定したスレッショルド値より低下したとき、干渉波を受信したと認識して、ノードの設置位置変更、アンテナの変更等を行うことにより上記干渉の影響を低減する手法が採られてきた。
【００１５】
しかしながら、上記スレッショルド値を用いた手法においては、このスレッショルド値をどのように設定すかがシステム設計時の重要な検討要素となり、また、この種の干渉は、運用時に起因する要因が大きく、このためにシステムの増設、変更にスムーズに対応できないという問題があった。
【００１６】
【発明が解決しようとする課題】
上述した如く、従来の加入者無線システムにおいては、各ノードにおいて干渉による影響が起こらないように、運用時の回線設計にて干渉経路等を考慮して計画的にノードの設置、すなわち設局する方法がとられてきたが、この干渉は、各ノードの設置状況や運用時の状況に左右される要因が大きく扱いにくく、ノードの増設、変更または隣接するリングシステムの増設、変更等に対処するのが非常に難しいという問題があった。
【００１７】
そこで、この発明は、端局装置を無線接続する無線回線における干渉の判別を容易にするとともに、端局装置の増設、変更等に容易に対応することができるようにした無線通信システムを提供することを目的とする。
【００１８】
【課題を解決するための手段】
上記目的を達成するため、請求項１記載の発明は、複数の端局装置を無線回線を介して接続し、加入者は前記端局装置を介して通信を行う無線通信システムであって、対向する端局装置間にそれぞれ固有のルート識別符号を設定し、前記ルート識別符号の一致判定に基づき前記無線回線における干渉の有無を判別する無線通信システムにおいて、前記対向する端局装置の一方である送信側端局装置は、前記対向する端局装置の他方である受信側端局装置に送信する無線フレームに前記ルート識別符号を付加するルート識別符号付加手段を具備し、前記受信側端局装置は、前記送信側端局装置から受信した無線フレームから前記ルート識別符号を認識して干渉の有無を判別する判別手段を具備することを特徴とする。
【００２０】
また、請求項２記載の発明は、請求項１記載の発明において、前記複数の端局装置は、リング状に接続され、前記対向する端局装置間における干渉を判別した場合は、該対向する端局装置間での同期を解除し、ループバック路を形成することを特徴とする。
【００２１】
また、請求項３記載の発明は、請求項１記載の発明において、前記複数の端局装置に共通の共通ルート識別符号を設定し、前記端局装置は、前記ルート識別符号若しくは共通ルート識別符号を受信した場合に、前記加入者に対して受信信号を送出することを特徴とする。
【００２２】
また、請求項４記載の発明は、請求項３記載の発明において、前記端局装置は、前記ルート識別符号若しくは共通ルート識別符号以外を受信した場合は、前記加入者に対して前記受信信号に代えて警報信号を送信することを特徴とする。
【００２３】
また、請求項５記載の発明は、請求項３記載の発明において、前記共通ルート識別符号は、システム固有の符号から構成されることを特徴とする。
【００２４】
【発明の実施の形態】
以下、この発明に係わる無線通信システムの実施の形態を添付図面を参照して詳細に説明する。
【００２５】
図１は、この発明に係わる無線通信システムの一実施の形態を示すブロック図である。
【００２６】
図１において、この無線通信システムは、ベースノード（ＢＮ）２１、リングノード（ＲＮ）２２、２３、２４、２５、２６をリング状に無線回線を介して接続して構成され、ベースノード２１には有線回線を介してセンタノード（ＣＮ）２７が接続される。
【００２７】
ここで、リングノード２２、２３、２４、２５、２６は、それぞれ同一の構成を有するもので、リングノード２４として詳細が示されるように、アンテナ２４１−１、２４１−２、アウトドアユニット（ＯＤＵ）２４２−１、２４２−２、インドアユニット（ＩＤＵ）２４３−１、２４３−２、リングノード装置（ＲＮ装置）２４４を具備して構成される。
【００２８】
すなわち、リングノード２４は、リングノード２３から無線伝送された信号をアンテナ２４１−１で受信し、この受信信号をアウトドアユニット２４２−１、インドアユニット２４３−１を介してリングノード装置２４４に渡し、また、リングノード装置２４４から出力されるリングノード２３への送信信号を、インドアユニット２４３−１、アウトドアユニット２４２−１、アンテナ２４１−１を介してリングノード２３へ無線伝送する。
【００２９】
また、リングノード２５から無線伝送された信号をアンテナ２４１−２で受信し、この受信信号をアウトドアユニット２４２−２、インドアユニット２４３−２を介してリングノード装置２４４に渡し、また、リングノード装置２４４から出力されるリングノード２５への送信信号を、インドアユニット２４３−２、アウトドアユニット２４２−２、アンテナ２４１−２を介してリングノード２５へ無線伝送する。
【００３０】
また、リングノード２４のリングノード装置２４４には加入者端末２５０が接続され、リングノード装置２４４は、加入者端末２５０との間の信号の送受を制御する。
【００３１】
なお、アウトドアユニット２４２−１、２４２−２は、主に屋外に設置されるのもので、インドアユニット２４３−１、２４３−２から出力される中間周波数の信号を無線周波数の信号にアップコンバートしてアンテナ２４１−１、２４１−２に供給する機能と、アンテナ２４１−１、２４１−２で受信した無線周波数の信号を中間周波数の信号にダウンコンバートしてインドアユニット２４３−１、２４３−２に出力する機能とを有する。
【００３２】
また、インドアユニット２４３−１、２４３−２は、主に屋内に設置されるもので、アウトドアユニット２４２−１、２４２−２と同軸ケーブル等を介して接続され、アウトドアユニット２４２−１、２４２−２から出力された中間周波数の受信信号を復調してベースバンド信号に変換してリングノード装置２４４に渡す機能と、リングノード装置２４４から受け取ったベースバンド信号に所定の変調を施して中間周波数の信号としてアウトドアユニット２４２−１、２４２−２に出力する機能とを有する。
【００３３】
さて、この実施の形態の無線通信システムにおいては、ベースノード２１およびリングノード２２、２３、２４、２５、２６に対してそれぞれ固有の識別符号ＩＤを設定し、ベースノード２１およびリングノード２２、２３、２４、２５、２６間の通信に際して送信側ノードから受信側ノードに送信される無線フレームに上記識別符号ＩＤを送信ルート識別コードとして付加し、受信側ノードでは、該送信ルート識別コードを受信ルート識別コードとして認識することで正規のルート以外の他のルートからの干渉波を判別するように構成される。
【００３４】
すなわち、図１に示す無線通信システムにおいて、ベースノード２１に対しては識別符号ＩＤとして「１」が設定され、リングノード２２に対しては識別符号ＩＤとして「２」が設定され、リングノード２３に対しては識別符号ＩＤとして「３」が設定され、リングノード２４に対しては識別符号ＩＤとして「４」が設定され、リングノード２５に対しては識別符号ＩＤとして「５」が設定され、リングノード２６に対しては識別符号ＩＤとして「５」が設定され、リングノード２６に対しては識別符号ＩＤとして「６」が設定されており、例えば、リングノード２４からリングノード２５への無線フレームの伝送に際しては、この無線フレームにリングノード２４の識別符号ＩＤである「４」を送信ルート識別コードとして付加して送信し、リングノード２５においては、この無線フレームに付加された送信ルート識別コードを抽出して、設定された受信ルート識別コード（リングノード２４の識別符号ＩＤである「４」）と比較し、この比較において送信ルート識別コードと受信ルート識別コードとの一致が判別されれば、受信信号は正規のルートからの受信信号で干渉波ではないと判断し、一致しない場合は正規のルート以外からの干渉波であると判断する。
【００３５】
図２は、図１に示した無線通信システムにおける送信側ノードと受信側ノードとの間における通信処理を示すブロック図である。
【００３６】
図２において、ノード１００は、例えば、図１に示したリングノード２４に対応し、送信側ノードを構成している。また、ノード２００は、図１に示したリングノード２５に対応し、受信側ノードを構成している。
【００３７】
ここで、送信側ノードであるノード１００は、インドアユニット３０−１、アウトドアユニット４０−１を具備して構成され、インドアユニット３０−１は、送信ルート識別コード設定回路５０−１が接続されるとともに、送信ルート識別コード設定回路５０−１により設定された送信ルート識別コードを保持する送信ルート識別コード保持回路３０１、図示しないリングノード装置から入力した送信信号に送信ルート識別コード保持回路３０１に保持された送信ルート識別コードを付加する送信ルート識別コード付加回路３０２、送信ルート付加回路３０２で送信ルート識別コードが付加された送信信号を中間周波数信号にアップコンバートする無線部３０３を具備している。
【００３８】
ここで、送信ルート識別コード設定回路５０−１は、例えば、パーソナルコンピュータから構成される保守端末から構成することができる。
【００３９】
また、アウトドアユニット４０−１は、インドアユニット３０−１の無線部３０３から出力された中間周波数信号を無線信号にアップコンバートして送信する無線部４０１を具備している。
【００４０】
受信側ノードであるノード２００は、ノード１００と同様に、インドアユニット３０−２、アウトドアユニット４０−２を具備して構成され、アウトドアユニット４０−２は、ノード１００のアウトドアユニット４０−１の無線部４０１から送信された無線信号を受信して中間周波数信号に変換する無線部４１１を具備している。
【００４１】
また、インドアユニット３０−２は、受信ルート識別コード設定回路５０−２が接続されるとともに、受信ルート識別コード設定回路５０−２により設定された受信ルート識別コードを保持する受信ルート識別コード保持回路３１１、アウトドアユニット４０−２の無線部４１１から出力される中間周波数信号から送信ルート識別コードを受信ルート識別コードとして抽出する受信ルート識別コード抽出回路３１２、受信ルート識別コード抽出回路３１２により抽出された受信ルート識別コードと受信ルート識別コード保持回路３１１に保持された受信ルート識別コードとを比較する比較回路３１４、この比較回路３１４の比較に基づき受信ＡＩＳ（受信警報表示信号）を挿入して図示しないリングノード装置に出力する受信ＡＩＳ挿入回路３１５を具備している。
【００４２】
すなわち、送信側ノードであるノード１００においては、送信ルート識別コード付加回路３０２において入力信号の無線フレームのあるビット位置に送信ルート識別コードを挿入して、この送信フレームを無線部３０３、無線部４０１を介して送信し、受信側ノードであるノード２００においては、受信ルート識別コード抽出回路３１３により、この無線フレームから送信ルート識別コードを受信ルート識別コードとして取り出し、比較回路３１４によりこの取り出した受信ルート識別コードと受信ルート識別コード保持回路３１１に予め保持されている受信ルート識別コードとを比較する。
【００４３】
この比較により受信ルート識別コードが一致した場合は、受信ＡＩＳ挿入回路３１５から受信した無線フレームをＡＩＳ（警報表示信号）を付加せずに出力するが、受信ルート識別コードが一致しない場合は、受信した無線フレームにＡＩＳを付加して出力する。
【００４４】
このような構成によると、受信信号が正規のルートからの信号でない場合は、受信ルート識別コードが不一致となるため、正規のルートの受信信号でない干渉波を容易に識別することができる。
【００４５】
図３は、図１に示した無線通信システムにおいてノード間で送受される無線フレームの一例を示すフレーム構成図である。
【００４６】
図３において、この無線フレームは、プリアンブル部７１、識別コード部７２、データ部７３、ＦＥＣ部７４から１フレームが構成される。ここで、図２で説明した送信ルート識別コードは、この無線フレームの識別コード部７２に挿入されて伝送される。
【００４７】
図４は、図１に示した無線通信システムにおいて対向するノード間で送受される送受信ルート識別コードを示す図である。
【００４８】
図４において、ノード１００およびノード２００は、図１に示した無線通信システムにおいて対向して配置される２つのノードを示しており、ノード１００は、アンテナ１０１、アウトドアユニット（ＯＤＵ）１０２、インドアユニット（ＩＤＵ）１０３、リングノード装置（ＲＮ装置）１０４を具備して構成され、リングノード装置１０４には加入者端末１１０が接続されている。
【００４９】
また、ノード２００もノード１００と同様に、アンテナ２０１、アウトドアユニット（ＯＤＵ）２０２、インドアユニット（ＩＤＵ）２０３、リングノード装置（ＲＮ装置）２０４を具備して構成され、リングノード装置２０４には加入者端末２１０が接続されている。
【００５０】
上記構成において、ノード１００は、ノード２００に対する無線フレームの送信に際して、例えば、４ビットｂ１、ｂ２、ｂ３、ｂ４の送信ルート識別コード１２１を無線フレームに挿入して送信する。
【００５１】
また、ノード２００は、無線フレームの受信に際して、この無線フレームから上記送信ルート識別コードを受信ルート識別コード２２１として抽出し、この抽出した受信ルート識別コードを予め設定してある受信ルート識別コードと比較する。
【００５２】
そして、この比較において、受信ルート識別コードが一致すると正規のルートの受信信号であるとしてこの受信フレームをリングノード装置２０４を介して加入者端末２１０に出力するが、不一致になると、正規のルートの受信信号ではないとして、加入者端末２１０にＡＩＳを出力する。
【００５３】
同様に、ノード２００は、ノード１００に対する無線フレームの送信に際して、４ビットｂ’１、ｂ’２、ｂ’３、ｂ’４の送信ルート識別コード２２２を無線フレームに挿入して送信する。
【００５４】
また、ノード１００は、無線フレームの受信に際して、この無線フレームから上記送信ルート識別コードを受信ルート識別コード１２２として抽出し、この抽出した受信ルート識別コードを予め設定してある受信ルート識別コードと比較する。
【００５５】
そして、この比較において、受信ルート識別コードが一致すると正規のルートの受信信号であるとしてこの受信フレームをリングノード装置１０４を介して加入者端末１１０に出力するが、不一致になると、正規のルートの受信信号ではないとして、加入者端末１１０にＡＩＳを出力する。
【００５６】
図５は、図１に示した無線通信システムを利用して構成した無線リングネットワークを示す図である。
【００５７】
図５において、この無線リングネットワークは、４個のノード５１−１、５１−２、５１−３、５１−４をリング状に接続されて構成されており、この４個のノード５１−１、５１−２、５１−３、５１−４は、実線で示す現用無線回線５２で時計回りに接続されるとともに、点線で示す予備無線回線５３で反時計周りにされて、無線回線の二重系が形成されている。
【００５８】
ここで、各ノード５１−１、５１−２、５１−３、５１−４にはそれぞれ固有の識別符号ＩＤが設定され、各ノード間の現用無線回線５２若しくは予備無線回線５３を用いた通信においては、無線フレームにそれぞれ各識別符号ＩＤが送信ルート識別コードとして付加される。
【００５９】
そして、各ノード５１−１、５１−２、５１−３、５１−４においてはこの送信ルート識別コードを受信ルート識別コードとして受信し、この受信した受信ルート識別コードが予め設定した受信ルート識別コードと一致すれば正規のルートの受信信号として判断し、一致しない場合は、正規のルート以外の干渉波であると判断する。
【００６０】
図６は、図５に示した無線リングネットワークにおいて現用無線回線の一部が切断された場合を示す図である。
【００６１】
図６においては、ノード５１−１からノード５２に至る現用無線回線５２が切断された場合を示している。
【００６２】
この場合、ノード５１−２においては、ノード５１−１からの現用無線回線５２を用いた無線フレームは受信できなくなる。この状態において、ノード５１−２においては、ルート５４を介してノード５１−４から送信された受信フレームを受信することもあるが、このノード５１−４からの無線フレームは受信ルート識別コードの不一致により干渉波であることが容易に識別することができる。
【００６３】
これにより、ノード５１−２においては、現用無線回線５２の切断を迅速かつ確実に知ることができる。
【００６４】
この場合の対策としては、ノード５１−１にノード５１−４から現用無線回線を介して受信した信号をノード５１−４への予備無線回線へ折り返すループバック路５５を形成するとともに、ノード５１−２にノード５１−３から現用無線回線を介して受信した信号をノード５１−３への予備無線回線へ折り返すループバック路５６を形成する。
【００６５】
これにより、ノード５１−１からノード５２に至る現用無線回線５２が切断された場合においても、この無線リングネットワークを容易に復旧させることができ、通信の持続を図ることができる。
【００６６】
さて、上記構成の無線通信システムにおいては、各ノードにおいて受信ルート識別コードが予め設定された受信ルート識別コードと一致する場合は、正規のルートからの受信信信号であるとしてこの受信信号をこのノードに接続された加入者端末等の端末側に送信するが、受信ルート識別コードが不一致の場合は、正規のルート以外の受信信号としてこのノードに接続された加入者端末等の端末側にＡＩＳ（警報表示信号）を送信するように構成されている。
【００６７】
しかしながら、上記構成の無線通信システムにおいては、各ノードにそれぞれ固有の送信ルート識別コードおよび受信ルート識別コードが設定されているため、ノードの増設、あるいはリングシステムの新設の場合、各ノードの送信ルート識別コードおよび受信ルート識別コードおよび隣接ノードの送信ルート識別コードおよび受信ルート識別コードを設定、変更しないと、ノード間通信の確認ができないという問題点があった。
【００６８】
すなわち、上記構成の無線通信システムにおいては、各ノードに受信ノード識別コードが一致しないとこのノードに接続された加入者端末等の端末側にＡＩＳ（警報表示信号）を送信するように構成されおり、この場合、ノードの増設、あるいはリングシステムの新設の場合、各ノードの送信ルート識別コードおよび受信ルート識別コードを設定、変更しないと、正規のルートの受信信号であってもこれを正規のルートからの受信信号として判別することはできず、このノードに接続された加入者端末等の端末側にＡＩＳが送信され、このノードに接続された加入者端末等の端末側では受信信号を受信することができないため通信確認ができなくなる。
【００６９】
また、この問題点を解決すべく、センタノード（ＣＮ）から遠隔で増設ノードの両隣接ノードのルート識別コードを設定しようとすると、各ノードに遠隔制御用の信号線と回路が必要となり、コスト高になるという問題点がある。
【００７０】
そこで、次に説明するこの発明の無線通信システムの他の実施の形態には、システムの全ノードの無線区間に共通な共通ルート識別コードを設定し、各ノードにおいては正規のルート識別コードを受信した以外に、上記共通ルート識別コードを受信した場合も、加入者端末等の端末側にＡＩＳを送信することなく受信信号を送信することができるように構成される。
【００７１】
図７は、この発明に係わる無線通信システムの他の実施の形態を示すブロック図である。
【００７２】
図７においては、図１に示した１つのノードとこのノードに接続される加入者端末を示している。
【００７３】
図７において、アンテナ６１、アウトドアユニット（ＯＤＵ）６２、インドアユニット（ＩＤＵ）６３、リングノード装置（ＲＮ装置）６４を含む部分が図１に示したリングノード２２〜２６の中の１つのリングノードに対応するが、図７においては、アンテナ６１、アウトドアユニット６２、インドアユニット６３を含む部分を加入者無線装置、リングノード装置６４およびこのリングノード装置６４に接続される加入者端末を含む部分を端末側として説明する。
【００７４】
この実施の形態の無線通信システムにおいては、各加入者無線装置に固有のルート識別コードの他に、このシステムの全ての加入者無線装置に共通な共通ルート識別コードが設定される。
【００７５】
なお、図７に示す構成においては、加入者無線装置に設定された固有のルート識別コード（以下、運用受信ルートＩＤという）が、「５」に対応する４ビットの値「０１０１」であり、このシステムの全てのノードに共通な共通ルート識別コード（以下、共通ルートＩＤという）が、「０」に対応する４ビットの値「００００」に設定されている場合を示している。
【００７６】
上記構成において、加入者無線装置のアウトドアユニット６２がアンテナ６１を介して対向する加入者無線装置から送信された無線フレームを受信すると、この受信した無線フレームをインドアユニット６３に渡す。
【００７７】
インドアユニット６３では、アウトドアユニット６２から渡された無線フレームから受信ルートＩＤを抽出する。そして、この抽出した受信ルートＩＤとこの加入者無線装置に予め設定されている運用ルートＩＤとを比較する。
【００７８】
この比較において、受信ルートＩＤと運用ルートＩＤとが一致した場合は、無線フレームとしてアウトドアユニット６２から渡された受信信号を端末側、すなわち、リングノード装置６４を介して加入者端末６５に出力する。
【００７９】
また、受信ルートＩＤが共通ルートＩＤの場合は、運用ルートＩＤとが一致しないが、この場合も、受信信号を端末側に出力する。この場合は、加入者無線装置の増設、リングシステムの新設等が対象になる。
【００８０】
なお、受信ルートＩＤが運用ルートＩＤおよび共通ルートＩＤのいずれとも一致しない場合は、ＡＩＳを端末側に出力する。
【００８１】
具体的には、受信ルートＩＤが運用ルートＩＤと一致する「０１０１」の場合および共通ルートＩＤである「００００」の場合は、受信信号を端末側に出力するが、それ以外の「ｂ４、ｂ３、ｂ２、ｂ１」の場合は、ＡＩＳを端末側に出力する。
【００８２】
このような構成によると、加入者無線装置の増設、リングシステムの新設等において、共通ルートＩＤを用いることにより、運用ルートＩＤを設定しなくても、対向ノード、すなわち対向加入者無線装置の運用ルートＩＤに影響されることなくノード間の通信試験を行うことができる。
【００８３】
図８は、図７に示した構成において採用する運用ルートＩＤと共通ルートＩＤのビット構成例を示す図である。
【００８４】
図８においては、運用ルートＩＤおよび共通ルートＩＤが供に４ビットで構成される場合を示しており、この場合のビット構成は、ｂ１からｂ４のようにディジタル符号の“０”と“１”の組み合わせによって１６種類のルートＩＤを設定することができる。
【００８５】
ここで、「０」に対応するディジタル値「００００」を共通ルートＩＤとして設定すると、それを除く他の「１」から「１５」に対応するディジタル値「０００１」〜「１１１１」を各加入者無線装置、すなわち各ノードに運用ルートＩＤとして割り当てることができる。
【００８６】
なお、共通ルートＩＤは、上述したように、加入者無線装置の増設、リングシステムの新設、保守、デフォルト時等に使用され、この共通ルートＩＤが付加された信号を受信した場合は、運用ルートＩＤの一致、不一致にかかわらず受信信号を端末側に出力する。また、運用ルートＩＤはこのシステムの通常運用時に使用され、受信信号に付加された運用ＩＤが各ノードに設定された運用ルートＩＤと一致した場合は、受信信号を端末側に出力するが、受信信号に付加された運用ＩＤが各ノードに設定された運用ルートＩＤ若しくは共通ルートＩＤと一致しない場合は、ＡＩＳを端末側に出力する。
【００８７】
図９は、図７に示した構成において採用する無線ルームの一例を示すフレーム構成図である。
【００８８】
図９において、この無線フレームは、４７８バイトの情報バイト８１、３２バイトの冗長バイト８２、２バイトのフレーム同期ルートＩＤバイト８３の計５１２バイトで構成される。
【００８９】
ここで、図８に示したルートＩＤは、２バイトのフレーム同期ルートＩＤバイト８３の中に設定される。このような構成によると、このルートＩＤのビット数をこの２バイトの範囲で増減することにより種々のノードの増設に対応することができる。
【００９０】
【発明の効果】
以上説明したようにこの発明によれば、対向する端局装置間にそれぞれ固有のルート識別符号を設定し、このルート識別符号の一致判定に基づき端局装置間の無線回線における干渉の有無を判別するように構成したので、端局装置を無線接続する無線回線における干渉の判別を容易に行うことができる。
【００９１】
また、この発明においては、各端局装置に設定された固有のルート識別符号に加えて共通の共通ルート識別符号を設定し、各端局装置は、ルート識別符号若しくは共通ルート識別符号を受信した場合に、加入者に対して受信信号を送出するように構成したので、端局装置の増設、リングシステムの新設等において、この共通ルート識別符号を用いることにより、固有のルート識別符号を設定しなくても、対向ノードの固有のルート識別符号に影響されることなくノード間の通信試験を行うことができる。
【図面の簡単な説明】
【図１】この発明に係わる無線通信システムの一実施の形態を示すブロック図である。
【図２】図１に示した無線通信システムにおける送信側ノードと受信側ノードとの間における通信処理を示すブロック図である。
【図３】図１に示した無線通信システムにおいてノード間で送受される無線フレームの一例を示すフレーム構成図である。
【図４】図１に示した無線通信システムにおいて対向するノード間で送受される送受信ルート識別コードを示す図である。
【図５】図１に示した無線通信システムを利用して構成した無線リングネットワークを示す図である。
【図６】図５に示した無線リングネットワークにおいて現用無線回線の一部が切断された場合を示す図である。
【図７】この発明に係わる無線通信システムの他の実施の形態を示すブロック図である。
【図８】図７に示した構成において採用する運用ルートＩＤと共通ルートＩＤのビット構成例を示す図である。
【図９】図７に示した構成において採用する無線ルームの一例を示すフレーム構成図である。
【図１０】従来の加入者無線システムを示す図である。
【図１１】従来の加入者無線システムにおける干渉の状態を示す図である。
【符号の説明】
２１    ベースノード（ＢＮ）
２２〜２６    リングノード（ＲＮ）
２７    センタノード
２４１−１、２４１−２    アンテナ
２４２−１、２４２−２    アウトドアユニット（ＯＤＵ）
２４３−１、２４３−２    インドアユニット（ＩＤＵ）
２４４    リングノード装置（ＲＮ装置）
２５０    加入者端末
１００、２００    ノード
３０−１    インドアユニット（ＩＤＵ）
３０１    送信ルートノード保持回路
３０２    送信ルート識別コード付加部
３０３    無線部
５０−１    送信ルート識別コード設定回路
４０−１    アウトドアユニット（ＯＤＵ）
４０１    無線部
３０−２    インドアユニット（ＩＤＵ）
３１１    受信ルート識別コード保持回路
３１２    無線部
３１２    受信ルートコード抽出回路
３１４    比較回路
３１５    受信ＡＩＳ挿入回路
４０−２    アウトドアユニット（ＯＤＵ）
４１１    無線部
１０１    アンテナ
１０２    アウトドアユニット（ＯＤＵ）
１０３    インドアユニット（ＩＤＵ）
１０４    リングノード装置（ＲＮ装置）
１１０    加入者端末
２０１    アンテナ
２０２    アウトドアユニット（ＯＤＵ）
２０３    インドアユニット（ＩＤＵ）
２０４    リングノード装置（ＲＮ装置）
２１０    加入者端末
【図１】
0003724991.tif 000002
【図２】
0003724991.tif 000003
【図３】
0003724991.tif 000004
【図４】
0003724991.tif 000005
【図５】
0003724991.tif 000006
【図６】
0003724991.tif 000007
【図７】
0003724991.tif 000008
【図８】
0003724991.tif 000009
【図９】
0003724991.tif 000010
【図１０】
0003724991.tif 000011
【図１１】
0003724991.tif 000012